(57)【要約】【課題】主走査方向の画像濃度分布を小さくすることが可能な画像形成装置を提供すること。【解決手段】入力画像の情報に基づいて画像を形成する画像形成装置であって、光ビームを出射する光源と、前記光ビームを走査する光走査装置と、前記入力画像の情報に基づいて画像面積率を算出する画像面積率算出部と、前記光ビームの主走査方向の複数の位置における画像濃度を取得する濃度取得部と、前記光源の光量を制御する光源駆動装置と、を有し、前記濃度取得部は、画像面積率及び前記光源の光量が異なる複数の画像における濃度を検出し、前記光源駆動装置は、前記画像面積率算出部が算出した前記画像面積率と、前記濃度取得部が検出した前記複数の画像の少なくとも一つとに基づいて、前記光源の光量を制御する画像形成装置により上記課題を解決する。【選択図】図１
2018031871.tif 000002
【特許請求の範囲】
【請求項１】
入力画像の情報に基づいて画像を形成する画像形成装置であって、
光ビームを出射する光源と、
前記光ビームを走査する光走査装置と、
前記入力画像の情報に基づいて画像面積率を算出する画像面積率算出部と、
前記光ビームの主走査方向の複数の位置における画像濃度を取得する濃度取得部と、
前記光源の光量を制御する光源駆動装置と、
を有し、
前記濃度取得部は、画像面積率及び前記光源の光量が異なる複数の画像における濃度を検出し、
前記光源駆動装置は、前記画像面積率算出部が算出した前記画像面積率と、前記濃度取得部が検出した前記複数の画像の少なくとも一つとに基づいて、前記光源の光量を制御する、
画像形成装置。
【請求項２】
前記画像面積率算出部は、前記入力画像のページごとに画像面積率を算出し、
前記光源駆動装置は、前記入力画像のページごとに前記光源の光量を制御する、
請求項１に記載の画像形成装置。
【請求項３】
前記画像面積率算出部は、前記入力画像のラインごとに画像面積率を算出し、
前記光源駆動装置は、前記入力画像のラインごとに前記光源の光量を制御する、
請求項１に記載の画像形成装置。
【請求項４】
前記画像面積率算出部は、前記入力画像のページごとに画像面積率を算出し、
前記光源駆動装置は、前記入力画像の複数のページの画像面積率のうちの最も主走査方向の濃度分布が大きいページの画像面積率を用いて算出される光量補正値に基づいて、前記光源の光量を制御する、
請求項１に記載の画像形成装置。
【請求項５】
前記画像面積率算出部は、前記入力画像のラインごとに画像面積率を算出し、
前記光源駆動装置は、前記入力画像の複数のラインの画像面積率のうちの最も主走査方向の濃度分布が大きいラインの画像面積率と用いて算出される光量補正値に基づいて、前記光源の光量を制御する、
請求項１に記載の画像形成装置。
【請求項６】
前記画像面積率及び前記光源の出力が異なる複数の画像は、ページ間に形成される画像である、
請求項１乃至５のいずれか一項に記載の画像形成装置。
【発明の詳細な説明】
【技術分野】
【０００１】
本発明は、画像形成装置に関する。
【背景技術】
【０００２】
従来、中間転写ベルトや紙上に出力した調整用パターンをセンサで読み取ることで主走査方向の画像濃度分布を検知し、検知した画像濃度分布に基づいて光源の光量をフィードバック制御する画像形成装置が知られている（例えば、特許文献１参照）。この画像形成装置では、調整用パターンの画像面積率を中間調以下にすることで、画像濃度分布が大きく、人目につきやすい中間調やハイライト部の画像濃度分布を抑制している。
【発明の概要】
【発明が解決しようとする課題】
【０００３】
しかしながら、主走査方向の画像濃度分布は画像面積率によって異なるため、上記の技術においては、調整用パターンの画像面積率と異なる画像を形成する場合、主走査方向の画像濃度分布を十分に小さくすることが困難であった。
【０００４】
そこで、上記課題を鑑み、主走査方向の画像濃度分布を小さくすることが可能な画像形成装置を提供することを目的とする。
【課題を解決するための手段】
【０００５】
上記目的を達成するため、本発明の一態様に係る画像形成装置は、入力画像の情報に基づいて画像を形成する画像形成装置であって、光ビームを出射する光源と、前記光ビームを走査する光走査装置と、前記入力画像の情報に基づいて画像面積率を算出する画像面積率算出部と、前記光ビームの主走査方向の複数の位置における画像濃度を取得する濃度取得部と、前記光源の光量を制御する光源駆動装置と、を有し、前記濃度取得部は、画像面積率及び前記光源の光量が異なる複数の画像における濃度を検出し、前記光源駆動装置は、前記画像面積率算出部が算出した前記画像面積率と、前記濃度取得部が検出した前記複数の画像の少なくとも一つとに基づいて、前記光源の光量を制御する。
【発明の効果】
【０００６】
開示の技術によれば、主走査方向の画像濃度分布を小さくすることができる。
【図面の簡単な説明】
【０００７】
【図１】一実施形態に係る画像形成装置の概略図
【図２】図１の光走査装置を説明するための図
【図３】図１の画像処理装置を説明するための図
【図４】主走査方向の位置と画像濃度との関係を示すデータの一例を説明するための図
【図５】光源の光量と画像濃度との関係を示すデータの一例を説明するための図
【図６】光量補正値の一例を説明するための図
【図７】調整用パターンの一例を説明するための図（１）
【図８】一実施形態に係る画像形成方法の一例を説明するためのフローチャート
【図９】調整用パターンの一例を説明するための図（２）
【図１０】一実施形態に係る画像形成方法の他の例を説明するためのフローチャート
【図１１】主走査方向の画像濃度分布を説明するための図
【図１２】光源の光量と画像濃度との関係を説明するための図
【図１３】一実施形態に係る画像形成装置の効果を説明するための図（１）
【図１４】一実施形態に係る画像形成装置の効果を説明するための図（２）
【図１５】一実施形態に係る画像形成装置の効果を説明するための図（３）
【図１６】調整用パターンを形成するタイミングの一例を説明するための図
【発明を実施するための形態】
【０００８】
以下、本発明の実施形態について添付の図面を参照しながら説明する。なお、本明細書及び図面において、実質的に同一の構成については、同一の符号を付することにより重複した説明を省く。
【０００９】
（画像形成装置）
一実施形態に係る画像形成装置について、図１及び図２に基づき説明する。図１は、一実施形態に係る画像形成装置の概略図である。図２は、図１の光走査装置を説明するための図である。なお、図１及び図２において、主走査方向を矢印で示している。
【００１０】
図１に示されるように、画像形成装置１０は、画像処理装置１１と、光源駆動装置１２と、光源１３と、光走査装置１４と、感光体１５と、中間転写ベルト１６と、濃度センサ１７と、同期センサ１８とを有する。
【００１１】
画像処理装置１１は、例えばＣＰＵ、ＲＯＭ、ＲＡＭ、メモリ等を含み、画像処理装置１１の各種機能は、ＲＯＭ等に記録されたプログラムがメモリに読み出されてＣＰＵにより実行されることによって実現され得る。画像処理装置１１は、濃度センサ１７から入力される濃度信号Ｖと同期センサ１８から入力される同期信号Ｗとに基づいて濃度を検出し、主走査方向の濃度を補正する光量補正値を算出して光量制御信号Ａを生成し、光源駆動装置１２に出力する。
【００１２】
光源駆動装置１２は、光源１３の光量を調整する機能を有しており、光量制御信号Ａに基づいて光源１３を駆動させる。
【００１３】
光源１３は、光ビームを出射する装置であり、例えば半導体レーザにより形成されている。半導体レーザは、例えば垂直共振器面発光レーザ（ＶＣＳＥＬ：Vertical Cavity Surface Emitting LASER）である。
【００１４】
光走査装置１４は、例えば図２に示されるように、ポリゴンミラー１４１と、ｆθレンズ１４２と、折り返しミラー１４３、１４４、１４５とを有する。ポリゴンミラー１４１は、光源１３から出射される光ビームを主走査方向に偏向し走査する。ｆθレンズ１４２は、光ビームを感光体１５の上に等速で走査させる。折り返しミラー１４３、１４４、１４５は、ｆθレンズ１４２を通過した光ビームを反射し、光ビームを感光体１５に照射する。なお、光走査装置１４は、折り返しミラー１４３、１４４、１４５を有していなくてもよく、この場合、ｆθレンズ１４２を通過した光ビームが感光体１５に照射される。
【００１５】
光源１３から出射される光ビームは、光走査装置１４により感光体１５に集光され、感光体１５の表面に潜像が形成される。その後、現像や転写の過程を経て、中間転写ベルト１６に光源１３の発光量や発光時間に基づいた量のトナーが付着し、所定の画像が形成される。なお、中間転写ベルト１６は、感光体１５と接して配置され、潜像に対応する画像が形成される無端ベルトである。
【００１６】
濃度センサ１７は、中間転写ベルト１６上に形成されるトナーパターンの濃度を読み取り、トナーの付着量を電圧に変換した出力信号である濃度信号Ｖを画像処理装置１１に出力する。濃度センサ１７は、例えば発光ダイオードで発光した光を中間転写ベルト１６へ照射し、中間転写ベルト１６上のトナー濃度に応じて得られる正反射光や拡散反射光を受光素子で検出する構成とすることができる。
【００１７】
同期センサ１８は、光ビームを検出して光−電圧変換を行う素子である。同期センサ１８には、光ビームの走査路上に設けられた図示しないミラーから反射した光ビームが所定のタイミングで入射する。同期センサ１８は、入射光によって生じた電圧によって同期信号Ｗを生成し、画像処理装置１１に出力する。
【００１８】
（画像処理装置）
画像処理装置１１の機能構成の一例について、図３に基づき説明する。図３は、図１の画像処理装置を説明するための図である。
【００１９】
図３に示されるように、画像処理装置１１は、濃度取得部１１１と、補正値算出部１１２と、記憶部１１３と、画像面積率算出部１１４と、補正値選択部１１５と、書込制御部１１６とを有する。
【００２０】
濃度取得部１１１は、画像濃度を調整するためのパターン（以下「調整用パターン」という。）に対応して設けられる濃度センサ１７ａ、１７ｂ、１７ｃの各々の濃度信号Ｖを取得する。
【００２１】
補正値算出部１１２は、主走査方向の位置と画像濃度との関係を示すデータと、光源１３の光量と画像濃度との関係を示すデータとに基づいて、画像面積率ごとに光量補正値を算出する。この際、補正値算出部１１２は、主走査方向の画像濃度分布を小さくなるように光量補正値を算出する。
【００２２】
主走査方向の位置と画像濃度との関係を示すデータは、例えば図４に示されるようなテーブルであってよい。図４では、主走査方向の異なる位置ａ、ｂ、ｃにおける調整用パターンの画像濃度が画像面積率ごとに示されている。図４においては、例えば画像面積率が８０％の場合及び４０％の場合の位置ａ、ｂ、ｃにおける調整用パターンの画像濃度が示されている。図４に示されるように、画像面積率が８０％の場合、位置ｂにおける画像濃度を基準濃度（１００）とすると、位置ａ、ｃにおける画像濃度は、それぞれ１１８、１２０である。また、図４に示されるように、画像面積率が４０％の場合、位置ｂにおける画像濃度を１００とすると、位置ａ、ｃにおける画像濃度は、それぞれ１１４、１１８である。なお、図４の例では、位置ｂの画像濃度を基準濃度（１００）としているが、他の位置、例えば位置ａ、ｃの画像濃度を基準濃度としてもよい。
【００２３】
光源１３の光量と画像濃度との関係を示すデータは、例えば図５に示されるようなテーブルであってよい。図５では、光源１３の光量を、基準光量×０．９、基準光量、基準光量×１．１とした場合における調整用パターンの画像濃度が画像面積率ごとに示されている。図５においては、例えば画像面積率が８０％の場合及び４０％の場合の光源１３の光量を、基準光量×０．９、基準光量、基準光量×１．１とした場合における調整用パターンの画像濃度が示されている。図５に示されるように、画像面積率が８０％の場合、基準光量における画像濃度を１００とすると、基準光量×０．９及び基準光量×１．１における画像濃度は、それぞれ９０及び１１０である。即ち、画像面積率が８０％の場合、光源１３の光量を１０％大きくすると、画像濃度が１０％大きくなり、光源１３の光量を１０％小さくすると、画像濃度が１０％小さくなる。また、図５に示されるように、画像面積率が４０％の場合、基準光量における画像濃度を１００とすると、基準光量×０．９及び基準光量×１．１における画像濃度は、それぞれ９５及び１０５である。即ち、画像面積率が４０％の場合、光源１３の光量を１０％大きくすると、画像濃度が５％大きくなり、光源１３の光量を１０％小さくすると、画像濃度が５％小さくなる。なお、図５の例では、基準光量における画像濃度を基準濃度（１００）としているが、他の光量、例えば基準光量×０．９、基準光量×１．１における画像濃度を基準としてもよい。
【００２４】
光量補正値は、主走査方向の位置と画像濃度との関係を示すデータと、光源１３の光量と画像濃度との関係を示すデータとに基づいて算出される。
【００２５】
具体的には、例えば画像面積率が８０％の場合、図５により、光源１３の光量を±１０％変化させると、画像濃度が±１０％変化するので、位置ａにおける画像濃度（１１８）を基準濃度（１００）にするためには、光源１３の光量を−１８％変化させる必要がある。また、位置ｃにおける画像濃度（１２０）を基準濃度（１００）にするためには、光源１３の光量を−２０％変化させる必要がある。なお、位置ｂにおける画像濃度は基準濃度であるため、光源１３の光量を変化させる必要がない。
【００２６】
また、例えば画像面積率が４０％の場合、図５により、光源１３の光量を±１０％変化させると、画像濃度が±５％変化するので、位置ａにおける画像濃度（１１４）を基準濃度（１００）にするためには、光源１３の光量を−２８％変化させる必要がある。また、位置ｃにおける画像濃度（１１８）を基準濃度（１００）にするためには、光源１３の光量を−３６％変化させる必要がある。なお、位置ｂにおける画像濃度は基準濃度であるため、光源１３の光量を変化させる必要がない。
【００２７】
このようにして算出される光量補正値は、例えば図６に示されるようなテーブルであってよい。図６では、画像面積率ごとに主走査方向の複数の位置と光量補正値との関係が示されている。図６においては、例えば画像面積率が８０％の場合、位置ａ、ｂ、ｃにおける光量補正値は、それぞれ−１８、０、−２０である。また、例えば画像面積率が４０％の場合、位置ａ、ｂ、ｃにおける光量補正値は、それぞれ−２８、０、−３６である。
【００２８】
記憶部１１３は、補正値算出部１１２が算出した光量補正値を記憶する。
【００２９】
画像面積率算出部１１４は、入力される画像データに基づいて、画像面積率を算出する。画像データは、例えば画像形成装置１０で形成する次ページの画像データ、次ラインの画像データ等である。画像データは、例えば図示しない画像読取装置によって読み取られる画像データであってもよく、パーソナルコンピュータ等の外部機器から入力される画像データであってもよい。
【００３０】
補正値選択部１１５は、画像面積率算出部１１４が算出した画像面積率に基づいて、記憶部１１３に記憶された光量補正値の中から画像面積率が一致する又は最も近い画像面積率の光量補正値を選択し、書込制御部１１６に送信する。
【００３１】
書込制御部１１６は、同期センサ１８により生成される同期信号Ｗと、補正値選択部１１５により選択される光量補正値とに基づいて、光源１３の光量を制御する光量制御信号Ａを生成し、光源駆動装置１２に光量制御信号Ａを送信する。
【００３２】
（調整用パターン）
一実施形態に係る画像形成装置１０により形成される調整用パターンについて、図７に基づき説明する。図７は、調整用パターンの一例を説明するための図である。
【００３３】
図７に示されるように、画像形成装置１０は、中間転写ベルト１６上に濃度を検出するための調整用パターンを形成する。中間転写ベルト１６の主走査方向の特定位置での調整用パターンの濃度は、主走査方向に沿って設けられる複数の濃度センサ１７ａ、１７ｂ、１７ｃを用いて検出することができる。なお、図７では、一例として、画像面積率の異なる４種類の調整用パターンＰ１、Ｐ２、Ｐ３、Ｐ４を示している。調整用パターンＰ１、Ｐ２、Ｐ３、Ｐ４は、いずれも矩形状のパターンを有し、副走査方向に沿って形成されている。調整用パターンＰ１は、画像面積率が８０％の調整用パターンである。調整用パターンＰ２は、画像面積率が６０％の調整用パターンである。調整用パターンＰ３は、画像面積率が４０％の調整用パターンである。調整用パターンＰ４は、画像面積率が２０％の調整用パターンである。
【００３４】
（画像形成方法）
一実施形態に係る画像形成方法の一例について、図８及び図９に基づき説明する。図８は、一実施形態に係る画像形成方法の一例を説明するためのフローチャートである。図９は、調整用パターンの一例を説明するための図である。
【００３５】
最初に、書込制御部１１６は、光源駆動装置１２を制御することにより、異なる複数の画像面積率及び光源１３の光量の調整用パターンを、中間転写ベルト１６上の濃度センサ１７ａ、１７ｂ、１７ｃに対応する位置に形成する（ステップＳ１１）。この際、書込制御部１１６は、例えば図９に示されるように、光源１３の光量が基準光量×０．９、基準光量、基準光量×１．１である場合のそれぞれについて、画像面積率を８０％、６０％、４０％、２０％に設定したときの調整用パターンを形成する。
【００３６】
続いて、濃度取得部１１１は、調整用パターンに対応する濃度センサ１７ａ、１７ｂ、１７ｃの各々の濃度信号Ｖを取得する（ステップＳ１２）。
【００３７】
続いて、補正値算出部１１２は、主走査方向の位置と、画像濃度との関係を示すデータと、光源１３の光量と画像濃度との関係を示すデータとに基づいて、光量補正値を算出する（ステップＳ１３）。この際、補正値算出部１１２は、画像面積率ごとに主走査方向の画像濃度分布が小さくなるように光量補正値を算出する。
【００３８】
続いて、補正値算出部１１２は、ステップＳ１３において算出した光量補正値を記憶部１１３に記憶させる（ステップＳ１４）。
【００３９】
続いて、画像面積率算出部１１４は、次ページの画像データに基づいて、次ページの画像面積率を算出する（ステップＳ１５）。
【００４０】
続いて、補正値選択部１１５は、ステップＳ１５において画像面積率算出部１１４が算出した画像面積率に基づいて、ステップＳ１４において記憶部１１３に記憶された光量補正値から所定の光量補正値を選択し、書込制御部１１６に送信する（ステップＳ１６）。所定の光量補正値は、ステップＳ１５において画像面積率算出部１１４が算出した画像面積率と一致する光量補正値であることが好ましい。また、一致する光量補正値がない場合には、ステップＳ１５において画像面積率算出部１１４が算出した画像面積率と最も近い光量補正値であることが好ましい。
【００４１】
続いて、書込制御部１１６は、同期センサ１８により生成される同期信号Ｗと、補正値選択部１１５により選択される光量補正値とに基づいて、光源１３の光量を制御する光量制御信号Ａを生成し、光源駆動装置１２に光量制御信号Ａを送信する（ステップＳ１７）。
【００４２】
続いて、光源駆動装置１２は、光量制御信号Ａに基づいて光源１３を駆動させる（ステップＳ１８）。
【００４３】
以上により、入力画像の情報に基づいて、所望の画像を形成することができる。
【００４４】
一実施形態に係る画像形成方法では、画像面積率に応じて異なる光量補正値を用いて光源１３の光量を補正するので、画像面積率が異なる複数の画像に対して主走査方向の画像濃度分布を小さくすることができる。
【００４５】
次に、一実施形態に係る画像形成方法の他の例について、図１０に基づき説明する。図１０は、一実施形態に係る画像形成方法の他の例を説明するためのフローチャートである。
【００４６】
図１０の例では、次ページの画像面積率に代えて、次ラインの画像面積率に基づいて、補正値選択部１１５が所定の光量補正値を選択する。即ち、ステップＳ２１からステップＳ２４、ステップＳ２７及びステップＳ２８については、前述の画像形成方法におけるステップＳ１１からステップＳ１４、ステップＳ１７及びステップＳ１８と同様とすることができる。
【００４７】
ステップＳ２５では、画像面積率算出部１１４は、次ラインの画像データに基づいて、次ラインの画像面積率を算出する。
【００４８】
ステップＳ２６では、補正値選択部１１５は、ステップＳ２５において画像面積率算出部１１４が算出した画像面積率に基づいて、ステップＳ２４において記憶部１１３に記憶された光量補正値から所定の光量補正値を選択し、書込制御部１１６に送信する。
【００４９】
図１０の例では、ラインごとに最適な光量補正値を用いることができるので、特に高い精度で光源１３の光量を制御することができる。その結果、主走査方向の画像濃度分布を特に小さくすることができる。
【００５０】
なお、前述した画像形成方法では、補正値選択部１１５が次ページ又は次ラインごとに光量補正値を選択する場合について説明したが、複数ページ又は複数ラインごとに光量補正値を選択してもよい。この場合、補正値選択部１１５は、複数ページ又は複数ラインの画像面積率のうちの最も主走査方向の濃度分布が大きいページ又はラインの画像面積率に基づいて、光量補正値を選択することが好ましい。
【００５１】
（作用・効果）
一実施形態に係る画像形成装置１０の作用・効果について、図１１から図１５に基づき説明する。
【００５２】
まず、画像面積率が異なる場合の主走査方向の画像濃度分布について、図１１に基づき説明する。図１１は、主走査方向の画像濃度分布を説明するための図であり、画像面積率が８０％、６０％、４０％、２０％の調整用パターンの主走査方向の画像濃度分布を示している。なお、図１１中、横軸は主走査方向の位置を示し、縦軸は画像濃度を示している。また、図１１においては、画像面積率が８０％の場合の特性を実線、画像面積率が６０％の場合の特性を破線、画像面積率が４０％の場合の特性を一点鎖線、画像面積率が２０％の場合の特性を二点鎖線で示している。
【００５３】
図１１に示されるように、調整用パターンの主走査方向の画像濃度分布は、画像面積率によって異なることが分かる。具体的には、画像面積率が大きいほど調整用パターンの主走査方向の画像濃度分布が大きくなる。
【００５４】
次に、光源１３の光量と画像濃度との関係について、図１２に基づき説明する。図１２は、光源の光量と画像濃度との関係を説明するための図であり、画像面積率が８０％、６０％、４０％、２０％の調整用パターンにおける光源１３の光量と画像濃度との関係を示している。なお、図１２中、横軸は光源１３の光量を示し、縦軸は画像濃度を示している。また、図１２においては、画像面積率が８０％の場合の特性を実線、画像面積率が６０％の場合の特性を破線、画像面積率が４０％の場合の特性を一点鎖線、画像面積率が２０％の場合の特性を二点鎖線で示している。
【００５５】
図１２に示されるように、光源１３の光量と画像濃度との関係は、画像面積率によって異なることが分かる。具体的には、画像面積率が大きいほど光源１３の光量を変化させたときの画像濃度の変化量が大きくなる。
【００５６】
一実施形態では、画像面積率に応じて、前述した主走査方向の位置と画像濃度との関係、及び、光源１３の光量と画像濃度との関係に基づいて、光源１３の光量を制御する。これにより、画像面積率が異なる画像を形成する場合であっても、主走査方向の画像濃度分布を小さくすることができる。
【００５７】
図１３は、光源１３の光量を補正する前の主走査方向の画像濃度分布を示している。図１４は、同一の光量補正値を用いて光源１３の光量を補正した後の主走査方向の画像濃度分布を示している。図１５は、画像面積率ごとに異なる光量補正値を用いて光源１３の光量を補正した後の画像濃度分布を示している。なお、図１３から図１５中、横軸は主走査方向の位置を示し、縦軸は画像濃度を示している。また、図１３から図１５においては、画像面積率８０％の場合の特性を実線、画像面積率が４０％の場合の特性を一点鎖線で示している。
【００５８】
図１３に示されるように、画像面積率が８０％の場合と画像面積率が４０％の場合とでは、主走査方向の画像濃度分布が異なる場合がある。この場合、画像面積率の違いによらず同一の光量補正値を用いて光源１３の光量を補正すると、画像面積率によっては主走査方向の画像濃度分布を小さくすることができない。具体的には、図１４に示されるように、画像面積率が８０％の場合の主走査方向の画像濃度分布が小さくなるような光量補正値を選択すると、画像面積率が８０％の場合の主走査方向の画像濃度分布を小さくすることができる。しかしながら、画像面積率が４０％の場合の主走査方向の画像濃度分布を小さくすることができない。
【００５９】
これに対し、一実施形態に係る画像形成装置によれば、画像面積率に応じて異なる光量補正値を用いて光源１３の光量を補正する。これにより、図１５に示されるように、画像面積率が異なる複数の画像に対して主走査方向の画像濃度分布を小さくすることができる。
【００６０】
（調整用パターンを形成するタイミング）
次に、調整用パターンを形成するタイミングについて、図１６に基づき説明する。図１６は、調整用パターンを形成するタイミングの一例を説明するための図である。
【００６１】
調整用パターンを形成するタイミングは、特に限定されるものではないが、図１６に示されるように、実画像のページ間で行うことが好ましい。これにより、調整用パターンを形成するためのダウンタイムを無くし、また、温度変動や作像条件等による画像濃度の変化に追従してリアルタイムに補正を行うことができる。
【００６２】
以上、本発明の実施形態について説明したが、上記内容は、発明の内容を限定するものではなく、本発明の範囲内で種々の変形及び改良が可能である。
【００６３】
上記の実施形態では、中間転写ベルト１６上に形成される調整用パターンの画像濃度を使用する場合を例に挙げて説明したが、これに限定されず、例えば紙上に調整用パターンを形成し、紙状に形成された調整用パターンの画像濃度を使用してもよい。
【００６４】
上記の実施形態では、主走査方向の３箇所において画像濃度を検出する場合を例に挙げて説明したが、これに限定されず、主走査方向の画像濃度を検出する位置は、例えば２箇所であってもよく、４箇所以上であってもよい。
【符号の説明】
【００６５】
１０    画像形成装置
１１    画像処理装置
１１１  濃度取得部
１１２  補正値算出部
１１３  記憶部
１１４  画像面積率算出部
１１５  補正値選択部
１１６  書込制御部
１２    光源駆動装置
１３    光源
１４    光走査装置
１４１  ポリゴンミラー
１４２  レンズ
１４３  折り返しミラー
１４４  折り返しミラー
１４５  折り返しミラー
１５    感光体
１６    中間転写ベルト
１７    濃度センサ
１８    同期センサ
Ａ      光量制御信号
Ｖ      濃度信号
Ｗ      同期信号
【先行技術文献】
【特許文献】
【００６６】
【特許文献１】特開２０１４−１３２３１８号公報
【図１】
2018031871.tif 000003
【図２】
2018031871.tif 000004
【図３】
2018031871.tif 000005
【図４】
2018031871.tif 000006
【図５】
2018031871.tif 000007
【図６】
2018031871.tif 000008
【図７】
2018031871.tif 000009
【図８】
2018031871.tif 000010
【図９】
2018031871.tif 000011
【図１０】
2018031871.tif 000012
【図１１】
2018031871.tif 000013
【図１２】
2018031871.tif 000014
【図１３】
2018031871.tif 000015
【図１４】
2018031871.tif 000016
【図１５】
2018031871.tif 000017
【図１６】
2018031871.tif 000018